(57)【要約】【課題】複合印刷装置における広告情報の提供を、その都度入力される個人情報に依存するのではなく、あらかじめ入力されている個人情報、スキャン操作から得られた画像分析情報、スキャン時間情報、スキャン場所情報等から総合的に最適な広告情報を選択して提供することができる技術を提供する 【解決手段】広告情報を選択する際に、入力されたイメージ情報を画像分析して得られた分析情報、スキャン入力がなされた時間情報、印刷指定枚数情報、複合印刷装置の設置場所情報の少なくとも一つの情報と広告属性情報とのマッチング処理を行うようにしたため、より最適な広告情報を選択してユーザに提供する。 【選択図】図２
2011198265.tif 000002
【特許請求の範囲】
【請求項１】
少なくとも会員ＩＤと当該会員の属性データとを関連付けたユーザテーブルを登録した管理サーバと、 
前記管理サーバとネットワークを介して接続された情報処理端末を備えた複合印刷装置とからなり、 
前記管理サーバ、前記情報処理端末または複合印刷装置のいずれかに広告イメージ情報が広告属性情報とともに格納されており、 
前記複合印刷装置は、当該複合印刷装置に設けられた情報処理端末からユーザＩＤによるログイン情報の入力を印受け付けるステップと、 
前記ログイン情報をネットワークを介して前記管理サーバに送信するステップと、 
ユーザからの印刷指定枚数情報の入力を受け付けるステップと、 
少なくとも１枚以上の紙面をイメージ情報としてスキャン入力するステップとを実行し、 
前記管理サーバは、前記ネットワークを介して前記ログイン情報を受信すると、前記ユーザテーブルを参照して前記ユーザ属性を読み出して前記複合印刷装置に返信するステップとを実行し、 
前記複合印刷装置は、前記で入力されたイメージ情報を画像分析して得られた分析情報、スキャン入力がなされた時間情報、印刷指定枚数情報、複合印刷装置の設置場所情報の少なくとも一つの情報と前記で受信したユーザ属性と前記広告属性情報とのマッチング処理を行うステップと、 
前記マッチング処理に基づいて前記広告イメージ情報を読み出して前記紙面のイメージ情報とともに出力する複合印刷装置を用いた広告提供方法。 
【請求項２】
前記複合印刷装置は、２以上の紙面のイメージ入力を受け付けたときには、最先に入力されたイメージ情報に対してのみ画像分析処理を行うことを特徴とする請求項１記載の複合印刷装置を用いた広告提供方法。 
【請求項３】
前記管理サーバの会員の属性データには、当該会員ＩＤに対して提供された広告ＩＤとその提供回数とを含んでおり、前記複合印刷装置は、前記マッチング処理の際に、当該会員ＩＤに対して前記広告ＩＤの提供が所定回数となるまで当該広告ＩＤに対応する広告イメージ情報を選択することを特徴とする請求項１または２記載の複合印刷装置を用いた広告提供方法。 
【請求項４】
前記管理サーバによるマッチング処理は、前記で入力された印刷指定枚数情報と広告属性情報とのマッチング処理である請求項１記載の複合印刷装置を用いた広告提供方法。 
【発明の詳細な説明】
【技術分野】
【０００１】
本発明は、コピーとファクシミリとイメージ入力装置を兼ねた複合印刷装置を用いた広告提供技術に関する。 
【背景技術】
【０００２】
キャンパス等に設置された複合印刷装置において、学生証等から個人情報を取得して当該個人情報に最適な広告情報を印刷して提供する技術としては、本出願人による特開２００７−２６６８８４号公報がある。 
【先行技術文献】
【特許文献】
【０００３】
【特許文献１】特開２００７−２６６８８４号公報
【発明の概要】
【発明が解決しようとする課題】
【０００４】
前記特許文献１では、画像形成装置（複合印刷装置）での画像形成（広告印刷）に際して、ユーザの個人情報の入力をその都度受け付けるとともに、その都度入力された個人情報にのみ基づいて広告情報とのマッチング処理を行う方式であったため、たとえば入力された個人情報にばらつきがあったり、個人情報の分析やその分析結果に基づく最適な広告情報の選択処理に時間がかかりすぎてしまう等、当初の目的通りの最適な広告情報の配信を行うことは難しいことがわかってきた。 
【０００５】
本発明者らは、このような点に鑑みて本発明をしたものであり、複合印刷装置における広告情報の提供を、その都度入力される個人情報に依存するのではなく、あらかじめ入力されている個人情報、スキャン操作から得られた画像分析情報、スキャン時間情報、スキャン場所情報等から総合的に最適な広告情報を選択して提供することができる技術を提供することを技術的課題とする。 
【課題を解決するための手段】
【０００６】
前記課題を解決するために本発明では以下の手段を採用した。 
【０００７】
本発明の請求項１は、少なくとも会員ＩＤと当該会員の属性データとを関連付けたユーザテーブルを登録した管理サーバと、前記管理サーバとネットワークを介して接続された情報処理端末を備えた複合印刷装置とからなり、前記管理サーバ、前記情報処理端末または複合印刷装置のいずれかに広告イメージ情報が広告属性情報とともに格納されており、前記複合印刷装置は、当該複合印刷装置に設けられた情報処理端末からユーザＩＤによるログイン情報の入力を印受け付けるステップと、前記ログイン情報をネットワークを介して前記管理サーバに送信するステップと、ユーザからの印刷指定枚数情報の入力を受け付けるステップと、少なくとも１枚以上の紙面をイメージ情報としてスキャン入力するステップとを実行し、前記管理サーバは、前記ネットワークを介して前記ログイン情報を受信すると、前記ユーザテーブルを参照して前記ユーザ属性を読み出して前記複合印刷装置に返信するステップとを実行し、前記複合印刷装置は、前記で入力されたイメージ情報を画像分析して得られた分析情報、スキャン入力がなされた時間情報、印刷指定枚数情報、複合印刷装置の設置場所情報の少なくとも一つの情報と前記で受信したユーザ属性と前記広告属性情報とのマッチング処理を行うステップと、前記マッチング処理に基づいて前記広告イメージ情報を読み出して前記紙面のイメージ情報とともに出力する複合印刷装置を用いた広告提供方法である。 
【０００８】
この方法によれば、広告情報を選択する際に、入力されたイメージ情報を画像分析して得られた分析情報、スキャン入力がなされた時間情報、印刷指定枚数情報、複合印刷装置の設置場所情報の少なくとも一つの情報と広告属性情報とのマッチング処理を行うようにしたため、より最適な広告情報を選択してユーザに提供することができる。 
【０００９】
本発明の請求項２は、前記複合印刷装置は、２以上の紙面のイメージ入力を受け付け
たときには、最先に入力されたイメージ情報に対してのみ画像分析処理を行うことを特徴とする請求項１記載の複合印刷装置を用いた広告提供方法である。 
【００１０】
この方法によれば、最先に入力されたイメージ情報に対してのみ画像分析処理を行うことによって、入力された全てのイメージ情報に対して画像分析を行う必要がないため、広告情報の選択処理を短時間でできる利点がある。また、同時に入力（スキャン）されるイメージ情報は大学の科目別のノート等のようにひとまとまりのイメージ情報であることがほとんどであるため、最初のページの入力（スキャン）だけで広告属性情報とマッチング処理するための画像分析は十分に得ることができる。 
【００１１】
本発明の請求項３は、前記管理サーバの会員の属性データには、当該会員ＩＤに対して提供された広告ＩＤとその提供回数とを含んでおり、前記複合印刷装置は、前記マッチング処理の際に、当該会員ＩＤに対して前記広告ＩＤの提供が所定回数となるまで当該広告ＩＤに対応する広告イメージ情報を選択することを特徴とする請求項１または２記載の複合印刷装置を用いた広告提供方法である。 
【００１２】
この方法によれば、特定の会員ＩＤを有するユーザに対して提供される広告情報の回数を制御することが可能となり、広告効果を高めることができる。 
【００１３】
本発明の請求項４は、前記管理サーバによるマッチング処理は、前記で入力された印刷指定枚数情報と広告属性情報とのマッチング処理である請求項１記載の複合印刷装置を用いた広告提供方法である。 
【００１４】
この方法によれば、指定枚数によって、たとえば１枚であればノートのコピー、５枚以上であればサークルでの配付資料等というように、ある程度その印刷物の配布用途を推測することができるため、配布用途に適した広告情報を提供することができる。 
【発明の効果】
【００１５】
本発明によれば、複合印刷装置で提供される広告情報の採択に際して個人情報に限定されることなく、種々の情報に基づいてマッチング処理を行うため、複合印刷装置を利用したユーザに対してより最適な広告情報を提供することができる。 
【図面の簡単な説明】
【００１６】
【図１】本発明の実施態様におけるユーザデータベースの構築および複合印刷装置を使用する際のユーザの処理手順を示す説明図
【図２】実施態様における管理サーバまたは複合印刷装置での広告マッチング処理手順を示す説明図。
【図３】実施態様における複合印刷装置でのスキャン画像情報の一例を示す説明図。
【図４】実施態様におけるシステム構成図
【発明を実施するための形態】
【００１７】
以下、本発明の最良の実施形態を図面を用いて説明する。 
【００１８】
本実施形態のシステムは、図４に示すように、複合機（複合印刷装置）とネットワーク（ＮＷ）を介して接続された管理サーバを中心に構成される。 
【００１９】
管理サーバは汎用のネットワークサーバであり、中央処理装置（ＣＰＵ）を中心にメインメモリ（ＭＭ）、大規模記憶装置等がバス（ＢＵＳ）、通信インターフェース（Ｉ／Ｏ）が接続されている。 
【００２０】
大規模記憶装置には、オペレーティングシステム（ＯＳ）とともにアプリケーションプログラム（ＡＰＬ）およびユーザデータベース（ＵＤＢ、ユーザテーブル）が記録されている。 
【００２１】
管理サーバの中央処理装置（ＣＰＵ）は、前記アプリケーションプログラム（ＡＰＬ）をメインメモリ（ＭＭ）を介して順次読み込み実行処理することによって、管理サーバとしての機能を実現するようになっている。 
【００２２】
ユーザデータベース（ＵＤＢ）には、図１に示すように、ユーザＩＤ毎に当該ユーザの性別、学年、年齢、過去の表示広告ＩＤ、過去のコピー枚数、その他の情報がユーザ属性情報として登録されるようになっている。 
【００２３】
なお、同図では省略したが、ログイン時のパスワード等もユーザデータベース（ＵＤＢ）に登録してもよい。 
【００２４】
また、この管理サーバは、通信インターフェース（Ｉ／Ｏ）を介してネットワーク（ＮＷ）と接続されている。 
【００２５】
図示を省略したが、管理サーバの大規模記憶装置には、広告ＩＤと広告情報の格納アドレス情報（ＵＲＬ）と広告属性情報とが関係付けられた広告属性情報テーブルが設けられている。この中で広告情報（広告として印刷されるイメージ情報）はこの大規模記憶装置に登録されていてもよいし、当該管理サーバと別途設けられた広告管理サーバに登録されていてもよい。 
【００２６】
複合機はディスプレイ（ＤＩＳＰ）を備えた情報処理端末（ＰＣ）を有している。この情報処理端末（ＰＣ）は汎用のパーソナルコンピュータであり、前記管理サーバと通信を行い、ユーザのログイン処理やスキャンされた画像データを自身のハードディスク装置への一時的蓄積を管理する機能を有している。なお、ディスプレイ（ＤＩＳＰ）はタッチパネル型の表示装置であり、ユーザのログイン処理等をタッチパネル操作によって行わせるものであってもよい。 
【００２７】
次に、本実施形態によるログイン手順および広告情報のマッチング処理ならびに印刷処理手順を説明する。 
【００２８】
まず、ユーザが複合機の情報処理端末に対して、ログイン手続きを行う。これはユーザＩＤとパスワードの入力によって行う。 
【００２９】
次に、スキャン後の原稿を登録するか否かの選択、スキャンした原稿のコピーの有無および枚数の入力を促す。 
【００３０】
これらの入力が完了すると複合機はスキャン操作（原稿のイメージ入力）を開始する。
【００３１】
一方、ログイン情報（ユーザＩＤとパスワード）と枚数情報そしてスキャンが完了して
得られたイメージ入力データは管理サーバに送信される。このとき、管理サーバでは、当該ログイン情報を受信した時間、ログイン情報を発信した複合機の位置情報を取得する。複合機の位置情報はあらかじめ複合機毎に複合機ＩＤを付与しておき位置情報と関連付けた複合機属性テーブルを設けていてもよいし、複合機またはその情報処理端末にＧＰＳユニットを設けておき、ログイン情報に付随して位置情報を取得できるようにしておいてもよい。 
【００３２】
これらの情報はまとめて管理サーバに送信される必要はなく、たとえばログイン情報、枚数情報、イメージ情報等のように時間的に差異のある場合には入力された順番に送信してもよい。 
【００３３】
管理サーバでは、ログイン情報に基づいて認証処理を行う。なおこの認証処理は管理サーバではなく別途設けた認証サーバで行ってもよい。 
【００３４】
管理サーバでは、当該ログイン情報から得られたユーザＩＤに基づいて、ユーザデータベース（ＵＤＢ）にアクセスして、当該ユーザの性別、学年等の属性情報を読み出す。さらに管理サーバは、前記で入力されたイメージ情報を画像分析して得られた分析情報、スキャン入力がなされた時間情報、印刷指定枚数情報、複合印刷装置の設置場所情報の少なくとも一つの情報と前記で受信したユーザ属性と前記広告属性情報とのマッチング処理を行う。 
【００３５】
図２は、管理サーバでのマッチング処理を示す図である。 
【００３６】
ユーザがログインした後に、１枚目のスキャンが行われると、１枚目のイメージ情報に対して分析処理（分析１）が行われる。ここでの分析処理には、(1)ユーザ属性、(2)入力されたイメージ情報を画像分析して得られた分析情報、(3)スキャン入力がなされた時間
情報、(4)印刷指定枚数情報、(5)複合印刷装置の設置場所情報のいずれかが用いられる。この分析処理（分析１）のタイミングで使用可能な属性情報を用いればよい。たとえばこのタイミングde(1)のユーザ属性が読み込み可能である場合、前述のユーザの性別、学年
、学部、過去に表示した広告ＩＤ情報または過去にコピーした枚数情報等を用いることができる。 
【００３７】
ここで、学年情報を用いた場合、広告属性情報テーブルを参照して就職活動中の大学３年生をターゲットとした広告属性を有する広告情報をマッチングさせる（整合させる）ことができる（マッチング１）。 
【００３８】
また、過去に表示した広告ＩＤ情報を用いた場合、当該ユーザに対してこの広告ＩＤの広告情報を既に提供しているかいないか、また提供している場合、何回提供したのかがわかるため、そのユーザに対する広告回数を制御できる。たとえば、その広告情報の提供回数を１回だけに制御するとか、３回までにする等の制御が可能である。この場合、広告属性情報テーブルの属性情報に当該広告ＩＤ情報に対応させて提供回数を登録すればよい。
【００３９】
(2)の入力されたイメージ情報を画像分析して得られた分析情報が取得可能である場合
、その分析情報にしたがったマッチング処理を行えばよい。分析情報とはイメージ情報に基づいて、それが手書きでかつノートの罫線情報とともに読み取られている場合には学生のノートであると判定して学生ノートを広告属性情報として有する広告情報とマッチングさせたり、所定フォントの文字が印刷されている場合には管理サーバのＯＣＲ機能で文章情報を読取り、当該文章情報からキーワードを抽出して、当該キーワードと広告属性情報とをマッチングさせる等の処理を行うことができる。 
【００４０】
また、(3)のスキャン入力がなされた時間情報や(5)の複合印刷装置の設置場所情報が取得可能である場合、配信時間や配信場所を指定した（広告属性情報で時間や場所が設定された）広告情報をマッチング処理して提供することができる。 
【００４１】
また、(4)の印刷指定枚数情報に基づいて、たとえば５枚以上の印刷指定枚数が入力さ
れているときには、サークルでの配布等であると判定して広告属性情報にサークル配布が設定されている広告情報をマッチング処理して提供することができる。 
【００４２】
ところで、入力された複数枚のイメージ情報を分析処理する場合、最初に入力された（スキャンされた）１枚目だけのイメージ情報だけから分析処理（分析１）を行ってマッチング処理（マッチング１）を行ってもよい。 
【００４３】
この方法によれば、最先に入力されたイメージ情報に対してのみ画像分析処理を行うことによって、入力された全てのイメージ情報に対して画像分析を行う必要がないため、広告情報のマッチング処理を短時間でできる利点がある。また、同時に入力（スキャン）されるイメージ情報は大学の科目別のノート等のようにひとまとまりの目的を持ったイメージ情報であることがほとんどであるため、２枚目以後の画像分析を行わなくても問題はない。 
【００４４】
また、入力された複数枚のイメージ情報の全てを分析処理する場合、図２に示すように、１枚目のスキャン（スキャン１）を実行した後に、２枚目のスキャン（スキャン２）を行っているタイミングで１枚目の分析処理（分析１）を行い、２枚目の分析処理（分析２）を行うタイミングで１枚目のマッチング処理（マッチング１）を行うようにしてもよい。 
【００４５】
このように１枚目、２枚目、３枚目毎にそれぞれタイミングをずらしてスキャン→分析→マッチングを行うことによって複合機と情報処理端末の負荷を分散させることができる。 
【００４６】
このようにしてマッチング処理（マッチング１またはマッチング１〜３）を完了した後、タッチパネルディスプレイ装置（ＤＩＳＰ）には、スキャンされたイメージ情報のプレビュー表示が行われる。このプレビュー表示を確認したユーザは印刷指示をタッチパネルまたは複合機の印刷ボタンを押すことによって紙媒体にイメージ情報を印刷させることができる。このとき、前述でマッチングされた広告情報はイメージ情報の印刷面の裏面に印刷してもよいし、イメージ情報の印刷面と同一の面の上下左右いずれかの余白部分に印刷してもよい。 
【００４７】
なお、イメージ情報は、前記印刷処理が完了した後に、複合機または情報処理端末のハードディスク装置に蓄積してもよい。また、イメージ情報はネットワーク上のクラウドストレージに登録してもよい。クラウドストレージとは、ネットワークに接続されたストレージサーバである。商用のサービスとしてはEvernote（Evernote社の商標）、グーグルドキュメント（google社の商標）等を用いてもよい。この場合、ログインＩＤをこれらの商用サービスのＩＤと関連付けておくようにしてもよい。 
【００４８】
このように蓄積されたイメージ情報は、図４に示すように、ネットワークに接続可能なパーソナルコンピュータ（ＰＣ）や携帯電話端末（ＭＰ）で閲覧したり編集することができるようになっている。 
【００４９】
当該イメージ情報を編集する場合、当該イメージ情報を分析してテンプレート情報を提供してもよい。具体的には、イメージ情報の文字、図形、表の配置に合わせたテンプレー
トファイルを選択できるようにしてもよい。 
【００５０】
さらに、管理サーバのアプリケーションプログラムによって画像分析を行い、文章部分はワードプロセッサアプリケーションプログラムを、画像部分はイメージ編集アプリケーションプログラムを、表部分は表計算アプリケーションプログラムをそれぞれ起動してＷｅｂ上で編集可能としてもよい。 
【００５１】
なお、図２ではマッチング処理を管理サーバで行う場合で説明したが、当該マッチング処理は複合機の情報端末処理装置で行ってもよい。この場合、広告属性情報テーブルは複合機または情報端末装置のハードディスク装置に格納しておいてもよい。 
【産業上の利用可能性】
【００５２】
本発明は、キャンパス内、企業内、公共施設内に設置した複合印刷装置での広告提供技術に利用できる。 
【図１】
2011198265.tif 000003
【図２】
2011198265.tif 000004
【図３】
2011198265.tif 000005
【図４】
2011198265.tif 000006